(57)【要約】【課題】インクシートユニットの交換が簡便であり、カートリッジケースの再利用を可能にして資源の有効利用を果たすことができる。【解決手段】第１支持側側壁２３に、上ケース３側に突出して第１係止爪２３ｅを形成し、第２支持側側壁３３に、下ケース２と上ケース３との嵌合状態において第１係止爪２３ｅの解放端部に係止される第２係止爪３４ａが形成されたスライド壁３４を設け、スライド壁３４を、第２係止爪３４ａが第１係止爪２３ｅに係止される係止位置と第１係止爪２３ｅから解除される解除位置とを移動するように、上ケース３の外部からスライド操作可能とする。【選択図】      図６
2008030303.tif 000002
【特許請求の範囲】
【請求項１】
インクシートを一端部側から巻回した供給用ボビンと前記インクシートを他端部側から巻回した巻取用ボビンとを有するインクシートユニットを着脱可能に収納するカートリッジケースであって、
着脱可能な一対のケースを有し、
前記両ケースのうち第１ケースは、前記供給用ボビンおよび前記巻取用ボビンの一端部である支持軸側に対向して位置する第１支持側側壁と、前記供給用ボビンおよび前記巻取用ボビンの他端部である駆動軸側に対向して位置する第１駆動側側壁と、前記第１支持側側壁および前記第１駆動側側壁を連結する第１連結壁とを有し、
前記両ケースのうち第２ケースは、前記支持軸側に対向して位置する第２支持側側壁と、前記駆動軸側に対向して位置する第２駆動側側壁と、前記第２支持側側壁および前記第２駆動側側壁を連結する第２連結壁とを有し、
前記第１支持側側壁に、前記第２ケース側に突出して第１係止爪を形成し、
前記第２支持側側壁に、前記第１ケースと前記第２ケースとの嵌合状態において前記第１係止爪の解放端部に係止される第２係止爪が形成されたスライド壁を設け、前記スライド壁を、前記第２係止爪が前記第１係止爪に係止される係止位置と前記第１係止爪から解除される解除位置とを移動するように、前記第２ケースの外部からスライド操作可能とすることを特徴とするカートリッジケース。
【請求項２】
前記スライド壁に、前記第２支持側側壁の内面に沿う方向に前記スライド壁の端縁から突出する突起部を形成し、
前記第２支持側側壁の内面に、前記第２係止爪が前記係止位置および前記解除位置に位置する状態において前記突起部に係止して前記スライド壁の移動を規制する係止部を形成し、
前記スライド壁がスライドする際、前記突起部は、撓みながら前記係止部を乗り越えることを特徴とする請求項１に記載のカートリッジケース。
【発明の詳細な説明】
【技術分野】
【０００１】
本発明は、カートリッジケースに係り、特に、プリンタに使用されるインクシートユニットを収納するカートリッジケースに関する。
【背景技術】
【０００２】
一般に、記録紙への行ごと、または頁ごとの記録を迅速に行う記録装置として、記録紙の幅方向に沿って発熱素子が整列配置された長尺なサーマルヘッドを有するラインサーマルプリンタが使用されている。このようなラインサーマルプリンタ用のインクシートカートリッジとしては、インクシートユニットをカートリッジケースに収納したものが、前記ラインサーマルプリンタに装着されて使用されている。
【０００３】
インクシートユニットは、イエロー、マゼンタ、シアン等のインクが塗布された着色領域が連続した長尺なインクシートを有し、前記インクシートの一端部側は筒状の供給用ボビンに巻回され、前記インクシートの他端部は筒状の巻取用ボビンに、巻回されている。
【０００４】
また、前記カートリッジケースは、インクシートユニットの頂面に対向して位置する頂壁と、インクシートユニットの底面に対向して位置する底壁と、供給用ボビンおよび巻取用ボビンの一端部である駆動軸側に対向して位置する駆動側側壁と、供給用ボビンおよび巻取用ボビンの他端部である支持軸側に対向して位置する支持側側壁とを有している。そして、このようなカートリッジケースは、合成樹脂等の材料からなる上ケースと下ケースとにより構成されており、両ケースは、超音波溶着等により接着されている。
【０００５】
そして、従来のインクシートカートリッジは、カートリッジケース内において前記インクシートユニットを前記供給用ボビンおよび巻取用ボビンを回転軸として回転可能に収納していた（例えば、特許文献１および特許文献２参照）。
【０００６】
【特許文献１】特許第３４９６２６７号公報
【特許文献２】特開平５−１５５１２２号公報
【発明の開示】
【発明が解決しようとする課題】
【０００７】
しかしながら、従来のインクシートカートリッジにおけるカートリッジケースは、上ケースと下ケースとが超音波溶着等により接着して構成されており、このようなカートリッジケースが用いられているインクシートカートリッジにおいて、使用済みのインクシートユニットを未使用のインクシートユニットに交換するためには、前記カートリッジケースを破壊しなければならなかった。このため、カートリッジケースの再利用は極めて困難であり、資源の有効利用を図ることができないとともに、インクシートカートリッジのコストが上昇してしまうという問題を有していた。
【０００８】
本発明はこれらの点に鑑みてなされたものであり、インクシートユニットの交換が簡便であり、カートリッジケースの再利用を可能にして資源の有効利用を果たすことができるカートリッジケースを提供することを目的とする。
【課題を解決するための手段】
【０００９】
前記目的を達成するため、本発明に係るカートリッジケースの特徴は、インクシートを一端部側から巻回した供給用ボビンと前記インクシートを他端部側から巻回した巻取用ボビンとを有するインクシートユニットを着脱可能に収納するカートリッジケースであって、着脱可能な一対のケースを有し、前記両ケースのうち第１ケースは、前記供給用ボビンおよび前記巻取用ボビンの一端部である支持軸側に対向して位置する第１支持側側壁と、前記供給用ボビンおよび前記巻取用ボビンの他端部である駆動軸側に対向して位置する第１駆動側側壁と、前記第１支持側側壁および前記第１駆動側側壁を連結する第１連結壁とを有し、前記両ケースのうち第２ケースは、前記支持軸側に対向して位置する第２支持側側壁と、前記駆動軸側に対向して位置する第２駆動側側壁と、前記第２支持側側壁および前記第２駆動側側壁を連結する第２連結壁とを有し、前記第１支持側側壁に、前記第２ケース側に突出する第１係止爪を形成し、前記第２支持側側壁に、前記第１ケースと前記第２ケースとの嵌合状態において前記第１係止爪の解放端部に係止される第２係止爪が形成されたスライド壁を設け、前記スライド壁を、前記第２係止爪が前記第１係止爪に係止される係止位置と前記第１係止爪から解除される解除位置とを移動するように、前記第２ケースの外部からスライド操作可能とした点にある。
【００１０】
この本発明に係るカートリッジケースによれば、第２ケースの外部からスライド壁をスライドさせることにより、第１ケースに形成された第１係止爪と第２ケースに形成された第２係止爪とを、容易に係止させるとともに、逆に係止解除させることができる。これにより、第１ケースと第２ケースとの嵌合および嵌合解除を簡単に行うことができる。
【００１１】
また、本発明に係る他のカートリッジケースの特徴は、前記スライド壁に、前記第２支持側側壁の内面に沿う方向に前記スライド壁の端縁から突出する突起部を形成し、前記第２支持側側壁の内面に、前記第２係止爪が前記係止位置および前記解除位置に位置する状態において前記突起部に係止して前記スライド壁の移動を規制する係止部を形成し、前記スライド壁がスライドする際、前記突起部は、撓みながら前記係止部を乗り越える点にある。
【００１２】
この本発明に係る他のカートリッジケースによれば、スライド壁をスライドさせる際、スライド壁に形成された突起部は撓みながら係止部を乗り越え、これにより、第２係止爪は係止位置と解除位置とを移動する。このため、突起部が係止部を乗り越えるときに発生する復元力によって、スライド操作を行う操作者に操作感を付与することができる。これにより、操作者は第２係止爪が係止位置と解除位置との間を移動したことを確認することができるので、第１係止爪と第２係止爪との係止および解除を確実に行うことができる。
【発明の効果】
【００１３】
以上述べたように、本発明に係るカートリッジケースによれば、第１ケースと第２ケースとを確実に嵌合させることができるとともに、第１ケースと第２ケースとの嵌合を簡単に解除することができるので、カートリッジケースの内部に収納されたインクシートユニットを容易に交換することができる。これにより、カートリッジケースの再利用を図ることができ、資源の有効利用を果たすことができるとともに、ランニングコストの低廉化を図ることができる。
【発明を実施するための最良の形態】
【００１４】
以下、本発明に係るカートリッジケースの一実施形態を図１から図９を参照して説明する。
【００１５】
図１は、本実施形態に係るカートリッジケースを示す底面側斜視図であり、図２は、図１のカートリッジケースを示す頂面側斜視図である。
【００１６】
図１に示すように、本実施形態に係るカートリッジケース１は、着脱可能な樹脂製の第１ケースおよび第２ケースとして、下ケース２および上ケース３を有している。
【００１７】
カートリッジケース１の内部には、図３に示すように、インクシートユニット５が着脱可能に収納されるようになっている。インクシートユニット５は、イエロー（Ｙ）、マゼンタ（Ｍ）、シアン（Ｃ）のインクが順次連続して塗布されてなる着色領域が連続して形成された長尺なインクシート６と、インクシート６を一端側から巻回した供給用ボビン７と、インクシート６を他端側から巻回した巻取用ボビン８とを有している。
【００１８】
供給用ボビン７および巻取用ボビン８は、樹脂製の略円筒部材からなり、中央に設けられた筒状の基部７１、８１と、図４に示すように、基部７１、８１の一端に基部の外径よりも小径とされた支持軸７２、８２と、基部７１、８１の他端に基部７１、８１よりも大径とされた駆動軸７３、８３とから構成されている。そして、供給用ボビン７および巻取用ボビン８おける各基部７１、８１と各駆動軸７３、８３との境界には、鍔状のフランジ７４、８４がそれぞれ設けられている。
【００１９】
供給用ボビン７の基部７１には、未使用のインクシート６が一端側から巻回されており、巻取用ボビン８の基部８１には、インクシート６が他端側から巻回されている。また、駆動軸７３、８３には、供給用ボビン７および巻取用ボビン８を回転させる駆動力を伝達する図示しないプリンタの駆動系が係止されて、供給用ボビン７および巻取用ボビン８に対して回転駆動力を伝達するようになっている。
【００２０】
両ケース２、３のうち下ケース２は、インクシートユニット５の底面側に対向して位置する連結壁としての底壁２１と、底壁２１の一側部に垂設され供給用ボビン７および巻取用ボビン８の一端部である駆動軸７３、８３が配置される駆動側の下半分に対向して位置する第１駆動側側壁２２と、底壁２１の他側部に垂設され供給用ボビン７および巻取用ボビン８の他端部である支持軸７２、８２が配置される支持側の下半分に対向して位置する第１支持側側壁２３とを備えている。
【００２１】
底壁２１は、インクシート６における供給用ボビン７に巻回されている部分の底面側に対向して位置する半円筒形状の底壁供給部２１ａと、インクシート６における巻取用ボビン８に巻回されている部分の底面側に対向して位置する半円筒形状の底壁巻取部２２ｂと、底壁供給部２１ａおよび底壁巻取部２２ｂを連設する底壁連結部２１ｃとを備えている。底壁連結部２１ｃの中央部には、供給用ボビン７と巻取用ボビン８との間に展張されるインクシート６を露出させる窓枠状の底壁開口部２１ｄが形成されている。
【００２２】
図５（ａ）（ｂ）に示すように、第１駆動側側壁２２は、供給用ボビン７の駆動軸７３側に対向して位置する半円形状の供給部（図示せず）と、巻取用ボビン８の駆動軸８３側に対向して位置する半円形状の巻取部２２ｂとを備えており、供給部および巻取部２２ｂは端縁がＵ字状に切り欠き形成されて、駆動軸７３、８３が露出するようになっている。さらに、第２駆動側側壁２２のうち供給部および巻取部２２ｂの内面に対向する位置には、それぞれ内壁２２ｅが、供給部および巻取部２２ｂの内面から所定の間隙をもって、前記内面に対して平行に配置されており、各内壁２２ｅには、供給用ボビン７および巻取用ボビン８の各駆動軸７３、８３を回転自在に支持する下軸受２２ｆが、各内壁２２ｅの端縁にＵ字状に切り欠き形成されている。第１駆動側側壁２２の供給部および巻取部２２ｂには、上ケース３と下ケース２とを係止するための係止用突起２２ｄが形成されている。
【００２３】
第１支持側側壁２３は、供給用ボビン７の支持軸７２側に対向して位置する略半円形状の供給部２３ａと、巻取用ボビン８の支持軸８２側に対向して位置する略半円形状の巻取部２３ｂとを備えている。第１支持側側壁２３のうち供給部２３ａおよび巻取部２３ｂの内面に対向する位置には、半円形状の内壁２３ｄが、供給部２３ａおよび巻取部２３ｂの内面から所定の間隙をもって、前記内面に対して平行に配置されており、各内壁２３ｄには、供給用ボビン７および巻取用ボビン８の各支持軸７２、８２を回転自在に支持する図示しない下軸受が、各内壁２３ｄの端縁に凹状に切り欠き形成されている。
【００２４】
図６（ａ）（ｂ）に示すように、第１支持側側壁２３の供給部２３ａおよび巻取部２３ｂには、上ケース３側に突出し解放端部を有する略Ｌ字状の一対の第１係止爪２３ｅがそれぞれ形成されている。
【００２５】
両ケース２、３のうち上ケース３は、インクシートユニット５の頂面側に対向して位置する連結壁としての頂壁３１と、頂壁３１の一側部に垂設されて供給用ボビン７および巻取用ボビン８の駆動軸７３、８３の側の半分に対向して位置する第２駆動側側壁３２と、頂壁３１の他側部に垂設されて供給用ボビン７および巻取用ボビン８の支持軸７２、８２の側の他の半分に対向して位置する第２支持側側壁３３とを備えている。
【００２６】
頂壁３１は、インクシート６における供給用ボビン７に巻回されている部分の頂面側に対向して位置する半円筒形状の頂壁供給部３１ａと、インクシート６における巻取用ボビン８に巻回されている部分の頂面側に対向して位置する半円筒形状の頂壁巻取部３１ｂと、頂壁供給部３１ａおよび頂壁巻取部３１ｂを連設する頂壁連結部３１ｃとを備えている。頂壁連結部３１ｃの中央部には、供給用ボビン７と巻取用ボビン８との間に展張されるインクシート６を露出させる窓枠状の頂壁開口部３１ｄが形成されている。
【００２７】
第２駆動側側壁３２は、供給用ボビン７の駆動軸７３に対向して位置する半円形状の供給部３２ａと、巻取用ボビン８の駆動軸８３に対向して位置する半円形状の巻取部３２ｂとを備えており、供給部３２ａおよび巻取部３２ｂの端縁は、Ｕ字状に切り欠き形成されて駆動軸７３、８３を露出させるようになっている。第２駆動側側壁３２のうち供給部３２ａおよび巻取部３２ｂの内面に対向する位置には、内壁３２ｃが、供給部３２ａおよび巻取部３２ｂの内面から所定の間隙をもって、前記内面に対して平行に配置されており、各内壁３２ｃには、供給用ボビン７および巻取用ボビン８の駆動軸７３、８３を回転自在に支持する図示しない上軸受が、各内壁３２ｃの端縁にＵ字状に切り欠き形成されている。
【００２８】
第２支持側側壁３３は、供給用ボビン７の支持軸７２に対向して位置する供給部３３ａと、巻取用ボビン８の支持軸８２側に対向して位置する略半円形状の巻取部３３ｂと、供給部２３ａおよび巻取部２３ｂを連結する連結部２３ｃを備えている。また、第１支持側側壁２３の供給部２３ａおよび巻取部２３ｂの内面に対向する位置には、内壁２３ｄが供給部２３ａおよび巻取部２３ｂの内面から所定の間隙をもって、前記内面に対して平行に配置されており、各内壁２３ｄには、供給用ボビン７および巻取用ボビン８の支持軸７２、８２を回転自在に支持する図示しない上軸受が、各内壁２３ｄの端縁にＵ字状に切り欠き形成されている。
【００２９】
第２駆動側側壁３２の供給部３２ａおよび巻取部３２ｂであって、下ケース２の第１駆動側側壁２２における供給部２２ａおよび巻取部２２ｂに形成された各係止用突起２２ｄに対応する位置には、それぞれ下ケース２と上ケース３とを着脱可能に嵌合する第２係止用孔３２ｄが形成されている。
【００３０】
第２支持側側壁３３は、供給用ボビン７の支持軸７２側に対向して位置する供給部７３ａと、巻取用ボビン８の支持軸８２側に対向して位置する巻取部３３ｂと、供給部３３ａおよび巻取部３３ｂを連結する連結部３３ｃとを備えている。第２支持側側壁２３のうち供給部３３ａおよび巻取部３３ｂの内面に対向する位置には、半円形状の内壁３３ｄが、供給部３３ａおよび巻取部３３ｂの内面から所定の間隙をもって、前記内面に対して平行に配置されており、各内壁３３ｄには、供給用ボビン７および巻取用ボビン８の各支持軸７２、８２を回転自在に支持する図示しない下軸受が、各内壁３３ｄの端縁に凹状に切り欠き形成されている。
【００３１】
第２支持側側壁３３の供給部３３ａと内壁３３ｄとの間隙であって供給用ボビン７の支持軸７２ａの先端に対向する位置、および、第２支持側側壁３３の巻取部３３ｂと内壁３３ｄとの間隙であって巻取用ボビン８の支持軸８２ａに対向する位置には、それぞれ板ばねからなる押圧部材９が配設されている。図７に示すように、各押圧部材９は、矩形状の枠部９ａと、枠部９ａにおける下ケース２側に配置される下端辺から上ケース３の方向に突出する当接部９ｂとを有している。
【００３２】
そして、各押圧部材９は、当接部９ｂの先端部が、上ケース３の内部に収納された供給用ボビン７の支持軸７２および巻取用ボビン８の支持軸８２の先端部に当接し、当接部９ｂの付勢力によって供給用ボビン７および巻取用ボビン８を駆動側に押圧することにより、供給用ボビン７および巻取用ボビン８の各フランジ７４、８４の外面を第１駆動側側壁２２に対向して設けられた内壁および第２駆動側側壁３２に対向して設けられた内壁３２ｃに圧接させるようになっている。
【００３３】
また、図８（ａ）に示すように、第２支持側側壁３３の供給部３３ａおよび巻取部３３ｂには、供給部３３ａおよび巻取部３３ｂの内面において供給側および巻取側にスライド可能なスライド壁３４が設けられており、スライド壁３４は、第２支持側側壁３３の内面に突出して形成されたほぼ枠状の支持部材３３ｅの内部に位置し、支持部材３３ｅによって支持されるとともに、スライド位置を規制されるようになっている。スライド壁３４の内面には、下ケース２と上ケース３との嵌合状態において、下ケース２の第１支持側側壁２３に形成された各第１係止爪２３ｅに係止される第２係止爪３４ａが上ケース３の内部側に突出して形成されており、スライド壁３４は、支持部材３３ｅの枠内においてスライドすることにより、第２係止爪３４ａが第１係止爪２３ｅに係止される係止位置と第１係止爪２３ｅから解除される解除位置とを移動するようになっている。
【００３４】
さらに、このスライド壁３４には、第２支持側側壁３３の内面に沿う方向にスライド壁３４の下側の端縁から突出して突起部３４ｂが形成されており、支持部材３３ｅのうち第２係止爪３４ａが係止位置または解除位置に位置するときに突起部３４ｂが対向する部分は切り欠き形成されている。これにより、突起部３４ｂは、第２係止爪３４ａが係止位置または解除位置に位置するときに支持部材３３ｅの切り欠き部分に位置するようになっており、支持部材３３ｅにおける突起部３４ｂに当接する部分は、突起部３４ｂが係止する係止部３３ｆとされている。そして、スライド壁３４をスライドさせる際、突起部３４ｂは、撓みながら係止部３３ｆを乗り越えるようになっている。
【００３５】
図８（ｂ）に示すように、第２支持側側壁３３の内面には、平板３５がスライド壁３４を被覆するように配設されており、スライド壁３４は、第２支持側側壁３３と平板３５の間隙においてスライドするようになっている。平板３５における第２係止爪３４ａに対向する位置には、スライド壁３４をスライドさせることにより係止位置および解除位置に移動する第２係止爪３４ａを露出させる開口３５ａが形成されている。
【００３６】
図９（ａ）（ｂ）に示すように、第２支持側側壁３３には、スライド壁３４の外面の一部を外部に露出させる開口３３ｇが形成されており、スライド壁３４のうち開口３３ｇから露出されている部分におけるスライド方向の一側部分には、操作部３４ｃが線状の凹凸形状によって形成されている。そして、スライド壁３４は、操作部３４ｃをスライド方向に移動させることにより、第２支持側側壁３３の外部からスライド操作可能とされている。
【００３７】
そして、両ケース２，３は、第１駆動側側壁２３の各係止用突起２２ｄに、第２駆動側側壁の各係止用孔３２ｄに挿入させて各係止用突起２２ｄと各係止用突起２３ｄを係止するとともに、各第１係止爪２３ｅと各第２係止爪３４ａとを係止することにより、嵌合されて一体とされている。
【００３８】
次に、本実施形態の作用について説明する。
【００３９】
まず、下ケース２と上ケース３を嵌合させるには、上ケース３の第２支持側側壁３３において各第２係止爪３４ａを解除位置に位置させた状態で、下ケース２の第１駆動側側壁２２に形成された各係止用突起２２ｄを上ケースの第２駆動側側壁３２に形成された各係止用孔３２ｄに挿入しながら第１駆動側側壁２２と第２駆動側側壁３２とを合致させるとともに、第１支持側側壁２３と第２支持側側壁３３とを合致させる。そして、第２支持側側壁３の外面において、各操作部３４ｃによってスライド壁３４をスライドさせることによって、各第２係止爪３４ａを係止位置に移動させる。これにより、各第１係止爪２３ｅと各第２係止爪３４ａを係止させて、下ケース２と上ケース３とを嵌合させる。
【００４０】
続いて、嵌合した下ケース２と上ケース３とを解除させるには、第２支持側側壁３の外面において、各操作部３４ｃによってスライド壁３４をスライドさせることにより、各第２係止爪３４ａを解除位置に移動させて各第１係止爪２３ｅと各第２係止爪３４ａの係止を解除させる。そして、第１支持側側壁２３と第２支持側側壁３３とを離間させるとともに、各係止用突起２２ｄを各係止用孔３２ｄから抜きながら第１駆動側側壁２２と第２駆動側側壁３２とを離間させる。これにより、下ケース２と上ケース３との嵌合を解除する。
【００４１】
本実施形態によれば、第２支持側側壁３の外面から各操作部３４ｃを操作してスライド壁３４をスライドさせることにより、下ケース２に形成された各第１係止爪２３ｅと上ケース３に形成された各第２係止爪３４ａとを容易に係止させ、あるいは係止解除させることができる。これにより、下ケース２と上ケース３との嵌合および嵌合解除を簡単に行うことができる。
【００４２】
したがって、下ケース２と上ケース３とを簡単に、嵌合・解除させることができるので、カートリッジケース１の内部に収納されたインクシートユニット５を容易に交換することができる。これにより、カートリッジケース１の再利用を図ることができ、資源の有効利用を果たすことができるとともに、ランニングコストの低廉化を図ることができる。
【００４３】
また、スライド壁３４をスライドさせる際、スライド壁３４に形成された突起部３４ｂは撓みながら係止部３３ｆを乗り越え、これにより、各第２係止爪３４ａは係止位置と解除位置とを移動する。このため、各第２係止爪３４ａを係止位置または解除位置に位置するようにスライド壁３４をスライドさせる際、突起部３４ｂが係止部３３ｆを乗り越えるときに発生する復元力によって、スライド操作を行う操作者に操作感を付与することができる。これにより、操作者は各第２係止爪３４ａが係止位置と解除位置との間を移動したことを確認することができるので、各第１係止爪２３ｅと各第２係止爪３４ａとの係止および解除を確実に行うことができる。
【００４４】
なお、本発明は、前述した実施の形態に限定されるものではなく、必要に応じて種々の変更が可能である。
【００４５】
例えば、本実施形態においては、第２係止爪３４ａが形成されたスライド壁３４は、上ケース３に設けられ、第１係止爪２３ｅが下ケース２に形成されているが、これに限定されず、スライド壁３４を下ケース２に設け、第１係止爪２３ｅを上ケース３に形成してもよい。
【図面の簡単な説明】
【００４６】
【図１】本発明に係るカートリッジケースの一実施形態を示す底面側斜視図
【図２】図１のカートリッジケースを示す頂面側斜視図
【図３】図１のカートリッジケースの上ケースを示す斜視図
【図４】図１のカートリッジケースの支持側の要部を示す断面図
【図５】（ａ）は、図１のカートリッジケースの駆動側における上ケースと下ケースの解除状態を示す斜視図、（ｂ）は、（ａ）の嵌合状態を示す斜視図
【図６】（ａ）は、図１のカートリッジケースの支持側側壁における第１係止爪と第２係止爪の係止状態を内側から示す平面図、（ｂ）は、（ａ）の解除状態を内側から示す平面図
【図７】図１のカートリッジケースの支持側に配置された押圧部材を示す斜視図
【図８】（ａ）は、図３の上ケースの支持側側壁にスライド壁の配設状態を示す斜視図、（ｂ）は、（ａ）の平板の配設状態を示す断面図
【図９】（ａ）（ｂ）は、図３の上ケースの支持側側壁を外側から示す平面図
【符号の説明】
【００４７】
１  カートリッジケース
２  下ケース
２１  底壁
２２  第１駆動側側壁
２２ｄ  係止用突起
２２ｅ  内壁
２３  第１支持側側壁
２３ｄ  内壁
２３ｅ  第１係止爪
３  上ケース
３１  頂壁
３２  第２駆動側側壁
３２ｄ  係止用孔
３２ｃ  内壁
３３  第２支持側側壁
３３ｄ  内壁
３３ｅ  支持部材
３３ｆ  係止部
３３ｇ  開口
３４  スライド壁
３４ａ  第２係止爪
３４ｂ  突起部
３４ｃ  操作部
３５  平板
３５ａ  開口
５  インクシートユニット
６  インクシート
７  供給用ボビン
７１  基部
７２  支持軸
７３  駆動軸
７４  フランジ
８  巻取ボビン
８１  基部
８２  支持軸
８３  駆動軸
８４  フランジ
９  押圧部材
【図１】
2008030303.tif 000003
【図２】
2008030303.tif 000004
【図３】
2008030303.tif 000005
【図４】
2008030303.tif 000006
【図５】
2008030303.tif 000007
【図６】
2008030303.tif 000008
【図７】
2008030303.tif 000009
【図８】
2008030303.tif 000010
【図９】
2008030303.tif 000011